(57)【要約】【課題】主母線１，２を跨がずに重機２０を遮断器４等に近づけることができるガス絶縁開閉装置５０を得ること。【解決手段】ガス絶縁開閉装置５０は、互いに平行に延びる２本の主母線１，２同士が複数の接続母線３で接続され、それぞれの接続母線３上に３つの遮断器４が直列に配置され、接続母線３上の遮断器４の間から分岐線５，６が分岐された１・１／２ＣＢ方式のガス絶縁開閉装置５０であって、接続母線３は、２本の主母線１，２を挟んだ両側に主母線１，２と平行に配置される。【選択図】図５
2014079116.tif 000002
【特許請求の範囲】
【請求項１】
互いに平行に延びる２本の主母線同士が複数の接続母線で接続され、それぞれの前記接続母線上に３つの遮断器が直列に配置され、前記接続母線上の前記遮断器の間から分岐線が分岐された１・１／２ＣＢ方式のガス絶縁開閉装置であって、
前記接続母線は、前記２本の主母線を挟んだ両側に前記主母線と平行に配置されることを特徴とするガス絶縁開閉装置。
【請求項２】
前記２本の主母線を挟んで設けられた前記接続母線同士は、前記主母線と垂直な方向から見た側面視において互いに一部が重なるように配置されることを特徴とする請求項１に記載のガス絶縁開閉装置。
【請求項３】
前記遮断器は、縦型タイプの遮断器であることを特徴とする請求項１または２に記載のガス絶縁開閉装置。
【請求項４】
前記遮断器は、横型タイプの遮断器であることを特徴とする請求項１または２に記載のガス絶縁開閉装置。
【発明の詳細な説明】
【技術分野】
【０００１】
本発明は、１・１／２ＣＢ方式のガス絶縁開閉装置に関する。
【背景技術】
【０００２】
変電所および発電所等の電気所で使用されるガス絶縁開閉装置は、絶縁性能および消弧性能に優れたＳＦ６（六フッ化硫黄）等の消弧性ガスを充填密封した金属容器内に開閉装置、母線、変流器、断路器、および変圧器等の所要機器を配置して構成したものである。ガス絶縁開閉装置の回路方式として、大容量の変電所等で高い信頼性を必要とする場合に、いわゆる１・１／２ＣＢ（Circuit  Breaker：遮断器）構成の母線方式が採用される場合がある。
【０００３】
この母線方式では、２本の主母線間に、ユニット構成をなす３台の遮断器を直列接続して構成している。すなわち、２回線の引き出し用として３台の遮断器を使用し、母線事故の場合でも系統に影響を与えないようにするとともに、遮断器等の点検に際して、線路の停止を伴わないように配慮した方式である。
【０００４】
このような１・１／２ＣＢ方式を採用した従来技術として、例えば、特許文献１に記載されたガス絶縁開閉装置がある。１・１／２ＣＢ方式のガス絶縁開閉装置では、単線結線図に基づいて所要機器を配置することで、２本の主母線の間に所要機器が配置されることとなる。
【先行技術文献】
【特許文献】
【０００５】
【特許文献１】特開２００７−２０２３９０号公報
【発明の概要】
【発明が解決しようとする課題】
【０００６】
上述したようなガス絶縁開閉装置において、機器の交換等のメンテナンスを行う場合があるが、このようなメンテナンスのほとんどが、主母線を除いた所要機器（遮断器を含む）に行われるという実情がある。ガス開閉装置を構成する所要機器には重量の大きいものが多いため、例えば、所要機器の交換を行う場合にはクレーン等の重機が用いられる。
【０００７】
重機を用いて所要機器を交換する場合には、なるべく重機を所要機器に近づけて行うことが望ましい。そのため、主母線の一部を地中に通したり、高架配線としたりすることで、重機が主母線を跨いで所要機器に近づけるようにされていた。
【０００８】
しかしながら、主母線の一部を地中に通したり、高架配線としたりすることで設置コストの増大を招きやすいという問題があった。また、高架配線とした場合には、耐震強度も問題になりやすく、十分な強度を得るためにコストがより一層増大してしまうという問題もあった。
【０００９】
本発明は、上記に鑑みてなされたものであって、主母線を跨がずに重機を遮断器等に近づけることができるガス絶縁開閉装置を得ることを目的とする。
【課題を解決するための手段】
【００１０】
上述した課題を解決し、目的を達成するために、本発明は、互いに平行に延びる２本の主母線同士が複数の接続母線で接続され、それぞれの接続母線上に３つの遮断器が直列に配置され、接続母線上の遮断器の間から分岐線が分岐された１・１／２ＣＢ方式のガス絶縁開閉装置であって、接続母線は、２本の主母線を挟んだ両側に主母線と平行に配置されることを特徴とする。
【発明の効果】
【００１１】
本発明にかかるガス絶縁開閉装置は、主母線を跨がずに重機を遮断器等に近づけることができるという効果を奏する。
【図面の簡単な説明】
【００１２】
【図１】図１は、１・１／２ＣＢ方式のガス絶縁開閉装置の単結線図である。
【図２】図２は、比較例としてのガス絶縁開閉装置の概略構成を示す平面図である。
【図３】図３は、図２に示すＡ−Ａ線に沿った矢視図であり、主母線の一部を地下配線とした例を示す図である。
【図４】図４は、図２に示すＡ−Ａ線に沿った矢視図であり、主母線の一部を高架配線とした例を示す図である。
【図５】図５は、本発明の実施の形態にかかるガス絶縁開閉装置の概略構成を示す平面図である。
【図６】図６は、図５に示すＢ−Ｂ線に沿った矢視図である。
【図７】図７は、図５に示すＢ−Ｂ線に沿った矢視図であって、遮断器を横型のものに置き換えた例を示す図である。
【発明を実施するための形態】
【００１３】
以下に、本発明の実施の形態にかかるガス絶縁開閉装置を図面に基づいて詳細に説明する。なお、この実施の形態によりこの発明が限定されるものではない。
【００１４】
実施の形態１．
図１は、１・１／２ＣＢ方式のガス絶縁開閉装置の単結線図である。１・１／２ＣＢ方式のガス絶縁開閉装置では、互いに平行に延びる２本の主母線１，２の間が接続母線３で接続される。１本の接続母線３上には、３つの遮断器４が直列に配置され、接続母線３上の各遮断器４の間からは分岐線５，６が分岐され、分岐線５は図示しない送電線に接続され、分岐線６は図示しない変圧器に接続される。接続母線３上の各遮断器４の両側には、計器用変流器７と接地開閉器付の断路器８とが備えられる。遮断器４は、ＳＦ６等の絶縁消弧性ガスが充填された筒部の内部に遮断部（図示せず）が設けられて構成される。
【００１５】
２本の主母線１，２を接続する接続母線３上に設けられた３つの遮断器４、その両側に設けられる計器用変流器７、断路器８を含んで遮断器ユニットＵが形成される。ガス絶縁開閉装置は、複数の遮断器ユニットＵを備え、複数の遮断器ユニットＵは単結線図上では２本の主母線１，２間に配置される。なお、図１では、１つの遮断器ユニットＵに１本の接続母線３が記載されているが、三相分離方式の場合には、１つの遮断器ユニットＵに３本の接続母線３が設けられ、それぞれの接続母線３に３つずつの遮断器４が備えられる。
【００１６】
次に、図１に示すような単結線図に基づいて実際に機器を配置したガス絶縁開閉装置の例を比較例として説明する。図２は、比較例としてのガス絶縁開閉装置の概略構成を示す平面図である。図３は、図２に示すＡ−Ａ線に沿った矢視図であり、主母線１，２の一部を地下配線とした例を示す図である。図４は、図２に示すＡ−Ａ線に沿った矢視図であり、主母線１，２の一部を高架配線とした例を示す図である。なお、三相分離方式の遮断器ユニットＵを備えるガス絶縁開閉装置１００を比較例として説明する。
【００１７】
比較例としてのガス絶縁開閉装置１００では、図１に示した単結線図と同様に、遮断器ユニットＵが２本の主母線１，２の間に配置される。このような配置においては、遮断器ユニットＵが備える所要機器の交換等のメンテナンスを行う際に、重機２０を遮断器ユニットＵに近づけて作業を行う場合には、矢印Ｘに示すように重機２０を進行させる必要がある。したがって、重機２０は主母線１，２の一部（図２の例では主母線２の一部（領域Ｚ））を跨いで移動する必要がある。
【００１８】
主母線１，２の一部を跨いで重機２０が移動できるようにするためには、ガス絶縁開閉装置１００を設置する際に、主母線１，２の一部を、図３に示すように地下配線にしたり、図４に示すように主母線１，２の一部を高架配線にしたりする必要がある。
【００１９】
次に、本発明の実施の形態にかかるガス絶縁開閉装置について説明する。図５は、本発明の実施の形態にかかるガス絶縁開閉装置の概略構成を示す平面図である。図６は、図５に示すＢ−Ｂ線に沿った矢視図である。図７は、図５に示すＢ−Ｂ線に沿った矢視図であって、遮断器を横型のものに置き換えた例を示す図である。
【００２０】
本実施の形態にかかるガス絶縁開閉装置５０では、主母線１，２を挟んだ両側に遮断器ユニットＵを配置している。また、接続母線３は、主母線１，２と平行に配置される。このように配置することで、主母線１，２を跨がずに重機２０を遮断器ユニットＵに近づけることができる。したがって、主母線１，２の一部を地下配線としたり高架配線としたりする必要がなくなるため、コストの抑制を図ることができる。
【００２１】
また、主母線１，２を挟んで配置された遮断器ユニットＵ同士は、主母線と垂直な方向から見る側面視において、互いに一部が重なるように配置されている。これにより、遮断器ユニットＵ同士に重なりを設けずに配置した場合に比べて、主母線１，２に平行な方向に重なりの長さＹだけガス絶縁開閉装置５０の小型化を図ることができる。
【００２２】
また、図６に示すように、縦型の遮断器４を用いることで、主母線１，２に平行な方向へのガス絶縁開閉装置５０の小型化を図ることができる。一方、図７に示すように、横型の遮断器４を用いた場合には、装置の低重心化を図ることで、耐震性の向上や施工性の向上を図ることができる。
【産業上の利用可能性】
【００２３】
以上のように、本発明にかかるガス絶縁開閉装置は、１・１／２ＣＢ方式のガス絶縁開閉装置に有用である。
【符号の説明】
【００２４】
１，２  主母線、３  接続母線、４  遮断器、５，６  分岐線、７  計器用変流器、８  断路器、２０  重機、５０，１００  ガス絶縁開閉装置、Ｕ  遮断器ユニット、Ｘ  矢印、Ｙ  長さ、Ｚ  領域。
【図１】
2014079116.tif 000003
【図２】
2014079116.tif 000004
【図３】
2014079116.tif 000005
【図４】
2014079116.tif 000006
【図５】
2014079116.tif 000007
【図６】
2014079116.tif 000008
【図７】
2014079116.tif 000009